(57)【要約】【課題】処理が軽く、保守性がよくスムーズな動作が可能な録画システム及び記録装置を提供する。【解決手段】デジタルＴＶ１のデジタルチューナ１１がデジタル放送信号を受信し、信号処理部１２が当該デジタル放送信号をデコードして表示部１３に表示させるとともに、当該デジタル放送信号がＨＤＤ記録装置２に出力され、信号処理部２１が当該デジタル放送信号をデコードせずにＨＤＤ２２に記録する。【選択図】図１
2008177803.tif 000002
【特許請求の範囲】
【請求項１】
デジタル放送信号を受信可能な受信機と、デジタル放送信号を記録可能な記録装置とを有する録画システムであって、
前記受信機は、
デジタル放送信号を受信するチューナと、
前記チューナにより受信された前記デジタル放送信号をデコードし、表示用として出力する第１のデコーダと、
前記チューナにより受信された前記デジタル放送信号が前記第１のデコーダによってデコードされずに前記記録装置に出力される第１の出力インタフェイスと、
前記記録装置からの出力が入力される第１の入力インタフェイスを有し、
前記記録装置は、
前記第１の出力インタフェイスにより出力された前記デジタル放送信号が入力される第２の入力インタフェイスと、
前記第２の入力インタフェイスにより入力されたデジタル放送信号を記録する記録部と、
前記記録部に記録された前記デジタル放送信号の再生時に、当該デジタル放送信号をデコードする第２のデコーダと、
前記第２のデコーダによりデコードされた信号を出力する第２の出力インタフェイスと、
を有する録画システム。
【請求項２】
デジタル放送信号を受信可能な受信機と、デジタル放送信号を記録可能な記録装置とを有する録画システムであって、
前記受信機は、
デジタル放送信号を受信する第１のチューナと、
前記デジタル放送信号のスクランブルを解除するための鍵データの入力を受け付け、入力された鍵データを出力する鍵データインタフェイスと、
前記第１のチューナにより受信された前記デジタル放送信号を前記鍵データインタフェイスが出力した鍵データによってデスクランブルする第１のデスクランブラと、
前記デスクランブラによりデスクランブルされた前記デジタル放送信号をデコードし、表示用として出力する第３のデコーダと、
前記第３のデコーダによってデコードされていない、前記チューナにより受信された前記デジタル放送信号と、前記鍵データインタフェイスに入力された前記鍵データとを前記記録装置に出力する第３の出力インタフェイスと、
前記記録装置からの出力が入力される第３の入力インタフェイスを有し、
前記記録装置は、
デジタル放送を受信する第２のチューナと、
前記第２のチューナにより受信された前記デジタル放送信号を前記第３の出力インタフェイスから出力された鍵データによってデスクランブルする第２のデスクランブラと、
前記第３の出力インタフェイスにより出力された前記デジタル放送信号が入力される第４の入力インタフェイスと、
前記第２のデスクランブラによってデスクランブルされた、前記第２のチューナにより受信されたデジタル放送信号及び／または、前記第４の入力インタフェイスにより入力されたデジタル放送信号を記録する記録部と、
前記記録部に記録されたデジタル放送信号の再生時に、当該デジタル放送信号をデコードする第４のデコーダと、
前記第４のデコーダによりデコードされた信号を出力する第４の出力インタフェイスと、
を有する録画システム。
【請求項３】
デジタル放送を受信可能な受信機に接続された記録装置であって、
前記受信機からデコードされずに出力された前記デジタル放送信号が入力される入力インタフェイスと、
前記入力インタフェイスにより入力されたデジタル放送信号を記録する記録部と、
前記記録部に記録された前記デジタル放送信号の再生時に、当該デジタル放送信号をデコードするデコーダと、
前記デコーダによりデコードされた信号を前記受信機に対して出力する出力インタフェイスと、
を有する記録装置。
【請求項４】
デジタル放送を受信可能な受信機に接続された記録装置であって、
前記受信機からデコードされずに出力された前記デジタル放送信号とデジタル放送信号をデスクランブルするための鍵データとが入力される入力インタフェイスと、
前記入力インタフェイスにより入力された前記デジタル放送信号を前記鍵データを使用してデスクランブルするデスクランブラと、
前記デスクランブラが出力した、デスクランブルされたデジタル放送信号を記録する記録部と、
前記記録部に記録された前記デジタル放送信号の再生時に、当該デジタル放送信号をデコードするデコーダと、
前記デコーダによりデコードされた信号を前記受信機に対して出力する出力インタフェイスと、
を有する記録装置。
【発明の詳細な説明】
【技術分野】
【０００１】
本発明は、デジタル放送を記録可能な録画システム及び記録装置に関する。
【背景技術】
【０００２】
地上波ＴＶ放送は、アナログ放送からデジタル放送へと遷移しており、今後デジタル放送用の録画装置の需要が増大することが見込まれる。
デジタルＴＶ放送を受信可能なＴＶにＨＤＤ（Hard Disk Drive）を内蔵してデジタル放送を録画できるようにした録画装置、或いは、デジタル放送を受信可能なＴＶに接続可能であり、デジタル放送を録画することができるＨＤＤ録画装置がすでに実用化されている。例えば、特許文献１には、デジタルＴＶからの複数のストリームを同時に処理することができるストリーム処理装置が開示されている。
【特許文献１】特開２００３−１５３１６８号公報
【発明の開示】
【発明が解決しようとする課題】
【０００３】
ＨＤＤにデジタル放送を録画する録画装置には、大きく分けて２種類あり、１つは、デジタルチューナからの放送信号を信号処理回路上で信号処理した後、ＨＤＤ毎に専用のソフトウェアで、記録・再生、記録されたコンテンツの管理、ＨＤＤのコントロールや管理等を実行する録画装置であり、もう１つは、ＩＥＥＥ１３９４に対応した特殊なＨＤＤ（ＡＶＨＤＤと呼ばれる）を専用のインタフェイスで信号処理回路と接続し、放送信号をＡＶＨＤＤに録画する録画装置である。
【０００４】
前者の録画装置では、信号処理回路上で専用のソフトウェアによる非常に重い処理が実行されるために、動作時の録画装置全体の負荷が大きい、という不利益がある。また、記録・再生を行うソフトウェアが専用のものであるために、録画装置全体のソフトウェアの規模が大きくなる、という不利益がある。また、ソフトウェア構成がＨＤＤを含む録画装置のシステム全体を制御するように構成されているため、ＨＤＤに問題が生じた場合に信号処理系にまでソフトウェア上の不具合が発生し、例えばＨＤＤに問題が生じた場合に信号処理回路によるコンテンツの表示を行うことができなくなる場合が生じる、といった不利益がある。同時に、ＨＤＤに問題が生じた場合に、ＨＤＤの交換等が非常に大変である、といった不利益がある。
【０００５】
後者の録画装置（ＡＶＨＤＤを使用した録画装置）では、ＡＶＨＤＤをコントロールするための特殊なソフトウェアを内蔵した特殊なＡＶＨＤＤを使用するために、ＨＤＤの容量等のスペックが制限される、という不利益がある。また、ＡＶＨＤＤが故障等した場合に、代替品が見つかるとは限らない（特殊なＨＤＤであるために生産が続けられるとは限らない）、という不利益がある。また、ＡＶＨＤＤ内のＨＤＤコントロール用のソフトウェアと、ＡＶＨＤＤから出力された圧縮データをデコードして表示する信号処理回路上のデコーダとが密接に連携して動作するわけではないため、早送り、巻き戻し再生等のトリックプレイ時にスムーズな動作ができない場合がある、という不利益がある。
本発明は、上述した不利益を解消するために、処理が軽く、保守性がよくスムーズな動作が可能な録画システム及び記録装置を提供することを目的とする。
【課題を解決するための手段】
【０００６】
上述した目的を達成するために、第１の発明の録画システムは、デジタル放送信号を受信可能な受信機と、デジタル放送信号を記録可能な記録装置とを有する録画システムであって、前記受信機は、デジタル放送信号を受信するチューナと、前記チューナにより受信された前記デジタル放送信号をデコードし、表示用として出力する第１のデコーダと、前記チューナにより受信された前記デジタル放送信号が前記第１のデコーダによってデコードされずに前記記録装置に出力される第１の出力インタフェイスと、前記記録装置からの出力が入力される第１の入力インタフェイスを有し、前記記録装置は、前記第１の出力インタフェイスにより出力された前記デジタル放送信号が入力される第２の入力インタフェイスと、前記第２の入力インタフェイスにより入力されたデジタル放送信号を記録する記録部と、前記記録部に記録された前記デジタル放送信号の再生時に、当該デジタル放送信号をデコードする第２のデコーダと、前記第２のデコーダによりデコードされた信号を出力する第２の出力インタフェイスと、を有する。
【０００７】
第２の発明の録画システムは、デジタル放送信号を受信可能な受信機と、デジタル放送信号を記録可能な記録装置とを有する録画システムであって、前記受信機は、デジタル放送信号を受信する第１のチューナと、前記デジタル放送信号のスクランブルを解除するための鍵データの入力を受け付け、入力された鍵データを出力する鍵データインタフェイスと、前記第１のチューナにより受信された前記デジタル放送信号を前記鍵データインタフェイスが出力した鍵データによってデスクランブルする第１のデスクランブラと、前記デスクランブラによりデスクランブルされた前記デジタル放送信号をデコードし、表示用として出力する第３のデコーダと、前記第３のデコーダによってデコードされていない、前記チューナにより受信された前記デジタル放送信号と、前記鍵データインタフェイスに入力された前記鍵データとを前記記録装置に出力する第３の出力インタフェイスと、前記記録装置からの出力が入力される第３の入力インタフェイスを有し、前記記録装置は、デジタル放送を受信する第２のチューナと、前記第２のチューナにより受信された前記デジタル放送信号を前記第３の出力インタフェイスから出力された鍵データによってデスクランブルする第２のデスクランブラと、前記第３の出力インタフェイスにより出力された前記デジタル放送信号が入力される第４の入力インタフェイスと、前記第２のデスクランブラによってデスクランブルされた、前記第２のチューナにより受信されたデジタル放送信号及び／または、前記第４の入力インタフェイスにより入力されたデジタル放送信号を記録する記録部と、前記記録部に記録されたデジタル放送信号の再生時に、当該デジタル放送信号をデコードする第４のデコーダと、前記第４のデコーダによりデコードされた信号を出力する第４の出力インタフェイスと、を有する。
【０００８】
第３の発明の記録装置は、デジタル放送を受信可能な受信機に接続された記録装置であって、前記受信機からデコードされずに出力された前記デジタル放送信号が入力される入力インタフェイスと、前記入力インタフェイスにより入力されたデジタル放送信号を記録する記録部と、前記記録部に記録された前記デジタル放送信号の再生時に、当該デジタル放送信号をデコードするデコーダと、前記デコーダによりデコードされた信号を前記受信機に対して出力する出力インタフェイスと、を有する。
【０００９】
第４の発明の記録装置は、デジタル放送を受信可能な受信機に接続された記録装置であって、前記受信機からデコードされずに出力された前記デジタル放送信号とデジタル放送信号をデスクランブルするための鍵データとが入力される入力インタフェイスと、前記入力インタフェイスにより入力された前記デジタル放送信号を前記鍵データを使用してデスクランブルするデスクランブラと、前記デスクランブラが出力した、デスクランブルされたデジタル放送信号を記録する記録部と、前記記録部に記録された前記デジタル放送信号の再生時に、当該デジタル放送信号をデコードするデコーダと、前記デコーダによりデコードされた信号を前記受信機に対して出力する出力インタフェイスと、を有する。
【発明の効果】
【００１０】
本発明によれば、処理が軽く、保守性がよくスムーズな動作が可能な録画システム及び記録装置を提供することができる。
【発明を実施するための最良の形態】
【００１１】
以下、本発明の録画システムについて説明する。
＜第１実施形態＞
本第１実施形態の録画システム１００について説明する。
図１は、本第１実施形態の録画システム１００の構成を示すブロック図である。
図１に示すように、本第１実施形態の録画システム１００は、デジタルＴＶ１（第１の発明の受信機に対応）と、ＨＤＤ記録装置２（第１の発明の記録装置に対応）とを有する。
【００１２】
デジタルＴＶ１は、デジタルチューナを有するデジタルＴＶである。
デジタルＴＶ１は、デジタルチューナ１１（第１の発明のチューナに対応）、信号処理部１２、表示部１３、入力インタフェイス（以下Ｉ／Ｆ）１４（第１の発明の第１の入力インタフェイスに対応）、出力Ｉ／Ｆ１５（第１の発明の第１の出力インタフェイスに対応）を有する。
デジタルチューナ１１は、各種デジタル放送を受信するための装置である。デジタルチューナ１１は、各種デジタル放送の放送信号（例えば、ＭＰＥＧ−ＴＳ（Transport Stream）信号：以下トランスポートストリーム信号）を受信する。デジタルチューナ１１が受信するトランスポートストリーム信号は、複数番組の映像、音声、データが同時に多重化されたものである。
【００１３】
信号処理部１２は、デジタルチューナ１１が受信したトランスポートストリーム信号に所定の信号処理を施し、映像を表示部１３に表示させたり、図１に図示しない音声出力部（スピーカ）から音声を出力させたりする。
信号処理部１２は、信号処理のため、デマルチプレクサ１２１、デコーダ１２２（第１の発明の第１のデコーダに対応）、ＣＰＵ１２３を有する。
【００１４】
デマルチプレクサ１２１は、複数のデータが多重化されたトランスポートストリーム信号をビデオデータや音声データ等に分離する。
デコーダ１２２は、デマルチプレクサ１２１が分離したビデオデータや音声データ等をデコードする。
ＣＰＵ１２３は、信号処理部１２全体の動作を統括する。
【００１５】
信号処理部１２からはデコーダ１２２がデコードしたビデオデータや音声データが出力され、ビデオデータは表示部１３に入力される。
表示部１３は、信号処理部１２が出力したビデオデータを表示するＬＣＤ（Liquid Crystal Display）、ＣＲＴ（Cathode Ray Tube）ディスプレイ、プラズマディスプレイ等の表示デバイスである。
入力Ｉ／Ｆ１４には、後述するＨＤＤ記録装置２からの出力信号が入力される。
出力Ｉ／Ｆ１５は、デジタルチューナ１１が受信したトランスポートストリーム信号を後述するＨＤＤ記録装置２に出力する。
【００１６】
ＨＤＤ記録装置２は、デジタルＴＶ１が受信したデジタル放送を録画するための録画装置であり、記憶媒体としてＨＤＤ（Hard Disk Drive）を利用している。
ＨＤＤ記録装置２は、信号処理部２１およびＨＤＤ２２（第１の発明の記録部に対応）、入力Ｉ／Ｆ２３（第１の発明の第２の入力インタフェイスに対応）、出力Ｉ／Ｆ２４（第１の発明の第２の出力インタフェイスに対応）を有する。
【００１７】
信号処理部２１は、デジタルＴＶ１のデマルチプレクサ１２１から出力されたデジタル放送のトランスポートストリーム信号を、ＨＤＤ２２に記録及び再生する処理を実行する。
信号処理部２１は、デマルチプレクサ２１１、デコーダ２１２（第１の発明の第２のデコーダに対応）、ＣＰＵ２１３を有する。
デマルチプレクサ２１１は、デジタルＴＶ１の出力Ｉ／Ｆ１５から出力され後述する入力Ｉ／Ｆ２３に入力されたトランスポートストリーム信号をビデオデータや音声データ等に分離する。
デコーダ２１２は、ＨＤＤ２２に記録されたビデオデータ及び音声データをデコードする。
ＣＰＵ２１３は、信号処理部２１の統括的な処理を行う。また、ＣＰＵ２１３は、デマルチプレクサ２１１が出力したビデオデータ及び音声データをＨＤＤ２２に記録する処理を行う。
【００１８】
ＨＤＤ２２は、信号処理部２１からのビデオデータ及び音声データを記録する。
入力Ｉ／Ｆ２３には、デジタルＴＶ１の出力Ｉ／Ｆ１５から出力されたトランスポートストリーム信号が入力される。
出力Ｉ／Ｆ２４は、デコーダ２１２がデコードし出力した出力信号をデジタルＴＶ１に出力する。
なお、ＨＤＤ２２自体は特別な機能を有しないＨＤＤであり、パラレルＡＴＡやシリアルＡＴＡ等の一般的なインタフェイスで信号処理部２１と接続されている
【００１９】
すなわち、上記説明したように録画システム１００では、録画時にはデジタルチューナ１１によって受信されたデジタル放送のトランスポートストリーム信号がＨＤＤ記録装置２に入力され、ＨＤＤ記録装置２のデマルチプレクサ２１１が入力されたトランスポートストリーム信号をビデオデータや音声データ等に分離し、ＨＤＤ２２が分離されたビデオデータ及び音声データを記録する。録画されたデータの再生時には、ＨＤＤ２２からビデオデータや音声データが読み出され、デコーダ２１２によってデコードされた後、デジタルＴＶ１の信号処理部１２に入力され、表示部１３がこれを表示したり、図１に図示しない音声出力部が音声データを再生したりする。
【００２０】
以上説明したように、本第１実施形態の録画システム１００によれば、録画されたデータの再生時には、ＨＤＤ２２に記録されたデータが、ＨＤＤ記録装置側でデコードされた後にデジタルＴＶ１に出力されるので、記録データの再生時にデジタルＴＶ１側ではデコード等の信号処理が必要ないため、記録データ再生時のデジタルＴＶ１側にかかる負荷が軽減される。すなわち、表示部１３に映像を表示させる処理はデジタルＴＶ１側で実行され、ＨＤＤ記録装置２側ではＨＤＤ２２にデータを記録する、あるいは記録されたデータを再生する処理のみを行えばよいので、ＨＤＤ記録装置２側のソフトウェアを簡単で動作負荷が小さく、処理速度が速いものとすることができる。このため、ＨＤＤ２２に記録されたデータの再生時のデジタルＴＶ１側にかかる負荷を軽減することができる。さらに、デコード時に必要なデータをデコーダ２１２がＨＤＤ２２から即座に読み出すことができるため、早送りや巻き戻し再生等のトリックプレイ時にも、デコードが間に合わず再生映像がぎこちなくなったり、ビデオデータの読み出しが間に合わず不自然にスキップされたり、という事態を避けることができる。また、放送中の番組をＨＤＤ２２に記録しながら表示部１３で視聴を行うことができるため、タイムシフト視聴（放送中の番組を遡って見る）等をデジタルＴＶ１にあまり負荷をかけずに行うことができる。
【００２１】
また、本第１実施形態の録画システム１００によれば、記録装置（記録媒体）にデータを記録、あるいは、記録装置（媒体）からデータを読み出し再生するソフトウェアは、即時性が高く、高負荷の処理であるが、本第１実施形態の録画システム１００によれば、記録・再生時には記録及び再生用のソフトウェアをＨＤＤ記録装置２のＣＰＵ２１３が実行するため、ＨＤＤ２２への記録或いはＨＤＤ２２からの再生時にデジタルＴＶ１のＣＰＵ１２３に高負荷がかかり、その所為で表示される映像がぎこちなくなったり、再生映像が乱れたり、という事態を避け、スムーズに記録及び再生を行うことができる。
【００２２】
また、デジタルＴＶ１とＨＤＤ記録装置２とは機能的にも機構的にも互いに独立しているため、例えば、ＨＤＤ２２が故障した場合等にはＨＤＤ記録装置２をデジタルＴＶ１から切り離し、ＨＤＤ記録装置２のみを修理することが可能であるし、またＨＤＤ記録装置２の故障がデジタルＴＶ１のＴＶ視聴機能に影響を与えることもない。さらに、ＨＤＤ２２自体は特別な機能を有しない従来のＨＤＤであり、パラレルＡＴＡやシリアルＡＴＡ等の一般的なインタフェイスで信号処理部２１と接続されているため、ＨＤＤ２２が故障した場合には、ＨＤＤそのものを他の正常な製品と取り替えることによって簡単に修理を行うことができ、保守性が良い。また、ＨＤＤ２２の容量を向上させたり、ＨＤＤを増設したりすることも容易である。
【００２３】
また、本第１実施形態の録画システム１００によれば、デジタルＴＶ１とＨＤＤ記録装置２間では、制御信号のやり取りを行い記録再生を行っているが、この通信はシリアル通信であり、予め各動作モード（記録・再生・早送り・巻き戻し等）における制御信号を予め決めておけば、この制御信号のやり取りはＵＡＲＴ（Universal Asynchronous Receiver Transmitter）等の非同期双方向通信で実現できる。すなわち、デジタルＴＶ１と、ＨＤＤ記録装置２とは、それぞれ独立させて運用することが可能である。特に、ＨＤＤ記録装置２に関しては、従来のデジタルＴＶ１ではないデジタルＴＶと接続した際にも、上述した本第１実施形態の録画システム１００と同様の動作をすることが可能であり、また、同様の効果を得ることができ、デジタル放送の記録及び再生を軽快に行うことができる。
【００２４】
＜第２実施形態＞
本第２実施形態の録画システム１０１について説明する。
図２は、本第２実施形態の録画システム１０１の構成を示すブロック図である。
図２に示すように、本第２実施形態の録画システム１０１は、デジタルＴＶ３（第２の発明の受信機に対応）と、ＨＤＤ記録装置４（第２の発明の記録装置に対応）とを有する。
【００２５】
デジタルＴＶ３は、デジタルチューナを有するデジタルＴＶである。
デジタルＴＶ３は、デジタルチューナ３１（第２の発明の第１のチューナに対応）、カードＩ／Ｆ３２（第２の発明の鍵データインタフェイスに対応）、信号処理部３３、表示部３４、入力Ｉ／Ｆ３５（第２の発明の第３の入力インタフェイスに対応）、出力Ｉ／Ｆ３６（第２の発明の第３の出力インタフェイスに対応）を有する。
デジタルチューナ３１は、各種デジタル放送を受信するための装置である。デジタルチューナ３１は、各種デジタル放送の放送信号（例えば、ＭＰＥＧ−ＴＳ（Transport Stream）信号：以下トランスポートストリーム信号）を受信する。デジタルチューナ３１が受信するトランスポートストリーム信号は、複数番組の映像、音声、データが同時に多重化されたものである。
【００２６】
カードＩ／Ｆ３２は、デジタル放送のコピー制御のための限定受信システム（ＣＡＳ：Conditional Access System）の認証のために必要なカードを装着可能なインタフェイスである。
現在のデジタル放送のトランスポートストリーム信号は、コピー制御のために暗号化されており、鍵データを利用してデスクランブル（復号）しなければ視聴することができなくなっている。カードＩ／Ｆ３２は、デスクランブルに必要な鍵データをＢ−ＣＡＳカード等の限定受信システム用のカードから読み取るカードリーダ（ライタ）機能を有するインタフェイスである。
【００２７】
本第２実施形態の録画システム１０１では、デジタルＴＶ３のデジタルチューナ３１で受信したトランスポートストリーム信号がデスクランブラ３３１でデスクランブルされる場合と、後述するＨＤＤ記録装置４のデジタルチューナ４１で受信したトランスポートストリーム信号がデスクランブラ４２１でデスクランブルされる場合との２つの場合に対応するため、カードＩ／Ｆ３２からの鍵データはデスクランブラ３３１とデスクランブラ４２１の両方に出力される。
【００２８】
信号処理部３３は、デジタルチューナ３１が受信したトランスポートストリーム信号に所定の信号処理を施し、映像を表示部３４に表示させたり、図２に図示しない音声出力部（スピーカ）から音声を出力させたりする。
信号処理部３３は、信号処理のため、デスクランブラ３３１（第２の発明の第１のデスクランブラに対応）、デマルチプレクサ３３２、デコーダ３３３（第２の発明の第３のデコーダに対応）、ＣＰＵ３３４を有する。
【００２９】
デスクランブラ３３１は、カードＩ／Ｆ３２が読み取った鍵データを基に、デジタルチューナ３１が受信したトランスポートストリーム信号をデスクランブルして、デマルチプレクサ３３２及び出力Ｉ／Ｆ３６を介して後述するＨＤＤ記録装置４のデマルチプレクサ４２２に出力する。
デマルチプレクサ３３２は、デスクランブラ３３１がデスクランブルしたトランスポートストリーム信号を、複数のデータが多重化されたトランスポートストリーム信号をビデオデータや音声データ等に分離してデコーダ３３３に出力する。
デコーダ３３３は、デマルチプレクサ３３２が分離したビデオデータ、音声データ等をデコードして出力する。
ＣＰＵ３３４は、信号処理部３３全体の動作を統括する。
【００３０】
信号処理部３３からはデコーダ３３３がデコードしたビデオデータや音声データが出力され、ビデオデータは表示部３４に入力される。
表示部３４は、信号処理部３３が出力したビデオデータを表示するＬＣＤ（Liquid Crystal Display）、ＣＲＴ（Cathode Ray Tube）ディスプレイ、プラズマディスプレイ等の表示デバイスである。
入力Ｉ／Ｆ３５には、後述するＨＤＤ記録装置４からの出力信号が入力される。
出力Ｉ／Ｆ３６は、デスクランブラ３３１によってデスクランブル済みのトランスポートストリーム信号及びカードＩ／Ｆ３２からの鍵データを後述するＨＤＤ記録装置４に出力する。なお、出力Ｉ／Ｆ３６は、物理的に１つのインタフェイスである必要はなく、例えばトランスポートストリーム信号と鍵データのそれぞれの信号に対して異なるインタフェイスを有していてもよい。
【００３１】
ＨＤＤ記録装置４は、デジタルＴＶ３が受信したデジタル放送を録画するための録画装置であり、記憶媒体としてＨＤＤ（Hard Disk Drive）を利用している。
ＨＤＤ記録装置４は、デジタルチューナ４１（第２の発明の第２のチューナに対応）、信号処理部４２、ＨＤＤ４３、入力Ｉ／Ｆ４４（第２の発明の第４の入力インタフェイスに対応）、出力Ｉ／Ｆ４５（第２の発明の第４の出力インタフェイスに対応）を有する。
【００３２】
デジタルチューナ４１は、デジタルＴＶ３のデジタルチューナ３１とは独立に動作するデジタルチューナである。ＨＤＤ記録装置４がデジタルチューナ４１を有することにより、デジタルＴＶ３においてあるチャンネルの放送を見ながら、ＨＤＤ記録装置４側で別のチャンネルの放送を録画する、というように、デジタルＴＶ３とＨＤＤ記録装置４とで異なるチャンネルを利用することが可能になっている。
信号処理部４２は、デジタルＴＶ３のデジタルチューナ３１から出力されたデジタル放送のトランスポートストリーム信号を、ＨＤＤ４３に記録及び再生する処理を実行する。
信号処理部４２は、デスクランブラ４２１（第２の発明の第２のデスクランブラに対応）、デマルチプレクサ４２２及び４２３、デコーダ４２４（第２の発明の第４のデコーダに対応）、ＣＰＵ４２５を有する。
【００３３】
デスクランブラ４２１は、デジタルチューナ４１から出力されたトランスポートストリーム信号を、デジタルＴＶ３のカードＩ／Ｆ３２から受信した鍵データを基にデスクランブルして後述するデマルチプレクサ４２３に出力する。
デマルチプレクサ４２２は、デジタルＴＶ３のデスクランブラ３３１からのデスクランブル済みトランスポートストリーム信号を受信して、ビデオデータや音声データ等に分離し、ＨＤＤ４３に出力する。
デマルチプレクサ４２３は、デスクランブラ４２１からデスクランブルされたトランスポートストリーム信号を受信して、ビデオデータや音声データ等に分離し、ＨＤＤ４３に出力する。
デコーダ４２４は、ＨＤＤ４３に記録されたビデオデータ及び音声データをデコードする。
ＣＰＵ４２５は、信号処理部４２の統括的な処理を行う。また、ＣＰＵ４２５は、デマルチプレクサ４２２及び４２３が出力したビデオデータや音声データをＨＤＤ４３に記録する処理を行う。
【００３４】
ＨＤＤ４３は、信号処理部４２からのビデオデータ及び音声データを記録する。
入力Ｉ／Ｆ４４には、デジタルＴＶ３の出力Ｉ／Ｆ３６から出力されたトランスポートストリーム信号及び鍵データが入力される。入力Ｉ／Ｆ４４も、出力Ｉ／Ｆ３６と同様、物理的に１つのインタフェイスである必要はなく、例えばトランスポートストリーム信号と鍵データのそれぞれの信号に対して異なるインタフェイスを有していてもよい。
出力Ｉ／Ｆ４５は、デコーダ４２４がデコードし出力した出力信号をデジタルＴＶ３に出力する。
【００３５】
なお、デジタルＴＶ３とＨＤＤ記録装置４との間のデータの送受信は、例えば１２８ビット暗号で暗号化されることが望ましい。デジタルＴＶ３とＨＤＤ記録装置４との間で送受信されるデータは、デスクランブルされたトランスポートストリーム信号及び限定受信システムの鍵データであるので、コピー制御のために、これらの平文データに外部からアクセス可能となる事態を回避する必要があるからである。
【００３６】
第２実施形態の録画システム１０１を上記のような構成とすることにより、ＨＤＤ記録装置４がデジタルチューナ４１を有するために、デジタルＴＶ３で視聴中のチャンネル以外のチャンネルの放送をＨＤＤ記録装置４で録画することが可能になる。また、デジタルＴＶ３で視聴中のビデオデータや音声データと、ＨＤＤ記録装置４のデジタルチューナ４１によって受信した別のビデオデータ及び音声データとの両方をＨＤＤ４３に記録しておくこともできる。このため、あるチャンネルの番組をＨＤＤ４３に録画しながら、デジタルＴＶ３でチャンネルを様々に切り換えて視聴する、といった視聴形態が可能である。
【００３７】
以上説明したように、本第２実施形態の録画システム１０１によれば、録画されたデータの再生時には、ＨＤＤ４３に記録されたデータが、ＨＤＤ記録装置側でデコードされた後にデジタルＴＶ３に出力されるので、記録データの再生時にデジタルＴＶ３側ではデコード等の信号処理が必要ないため、記録データ再生時のデジタルＴＶ３側にかかる負荷が軽減される。すなわち、表示部３４に映像を表示させる処理はデジタルＴＶ３側で実行され、ＨＤＤ記録装置４側ではＨＤＤ４３にデータを記録する、あるいは記録されたデータを再生する処理のみを行えばよいので、ＨＤＤ記録装置４側のソフトウェアを簡単で動作負荷が小さく、処理速度が速いものとすることができる。このため、ＨＤＤ４３に記録されたデータの再生時のデジタルＴＶ３側にかかる負荷を軽減することができる。さらに、デコード時に必要なデータをデコーダ４２４がＨＤＤ４３から即座に読み出すことができるため、早送りや巻き戻し再生等のトリックプレイ時にも、デコードが間に合わず再生映像がぎこちなくなったり、ビデオデータの読み出しが間に合わず不自然にスキップされたり、という事態を避けることができる。また、放送中の番組をＨＤＤ４３に記録しながら表示部３４で視聴を行ったり、放送中の番組を見ながら他のチャンネルの番組を録画したりすることができるため、タイムシフト視聴や裏番組の視聴を、デジタルＴＶ３にあまり負荷をかけずに行うことができ、デジタル放送の記録及び再生を軽快に行うことができる。
【００３８】
また、一般に記録装置（記録媒体）にデータを記録、あるいは、記録装置（媒体）からデータを読み出し再生するソフトウェアは、即時性が高く、高負荷の処理であるが、本第２実施形態の録画システム１０１によれば、記録・再生ソフトウェアはＨＤＤ記録装置４のＣＰＵ４２５が実行するので、ＨＤＤ４３に記録或いはＨＤＤ４３からの再生時にデジタルＴＶ３のＣＰＵ３３４に高負荷がかかる所為で表示される映像がぎこちなくなる、或いは再生映像が乱れる、という事態を避けることができ、スムーズな再生を行うことができる。
【００３９】
また、デジタルＴＶ３とＨＤＤ記録装置４とは機能的にも機構的にも互いに独立しているため、例えば、ＨＤＤ４２が故障した場合等にはＨＤＤ記録装置４をデジタルＴＶ３から切り離し、ＨＤＤ記録装置４のみを修理することが可能であるし、またＨＤＤ記録装置４の故障がデジタルＴＶ３のＴＶ視聴機能に影響を与えることもない。さらに、ＨＤＤ４２自体は特別な機能を有しない従来のＨＤＤであり、パラレルＡＴＡやシリアルＡＴＡ等の一般的なインタフェイスでＨＤＤ記録装置４と接続されているため、ＨＤＤ４２が故障した場合には、ＨＤＤそのものを他の正常な製品と取り替えることによって簡単に修理を行うことができ、保守性が良い。また、ＨＤＤ４２の容量を向上させたり、新たなＨＤＤを増設したりすることも容易である。
【００４０】
また、本第２実施形態の録画システム１０１によれば、デジタルＴＶ３とＨＤＤ記録装置４間では、制御信号のやり取りを行い記録再生を行っているが、この通信はシリアル通信であり、予め各動作モード（記録・再生・早送り・巻き戻し等）における制御信号を予め決めておけば、この制御信号のやり取りはＵＡＲＴ（Universal Asynchronous Receiver Transmitter）等の非同期双方向通信で実現できる。すなわち、デジタルＴＶ３と、ＨＤＤ記録装置４とは、それぞれ独立させて運用することが可能である。特に、ＨＤＤ記録装置４に関しては、デジタルＴＶ３ではない従来のデジタルＴＶと接続した際にも、上述した本第２実施形態の録画システム１０１と同様の動作をすることが可能であり、また、同様の効果を得ることができる。
【００４１】
さらに、本第２実施形態の録画システム１０１では、デジタルＴＶ３及びＨＤＤ記録装置４は、それぞれのデスクランブラ３３１及び４２１において、どちらもカードＩ／Ｆ３２に入力された鍵データを使用してトランスポートストリーム信号のデスクランブルを行う。このため、第２実施形態の録画システム１０１では限定受信システムの認証のために必要なカードが１つで済む。
【００４２】
本発明は上述した実施形態には限定されない。
すなわち、本発明の実施に際しては、本発明の技術的範囲またはその均等の範囲内において、上述した実施形態の構成要素に関し様々な変更、コンビネーション、サブコンビネーション、並びに代替を行ってもよい。
【００４３】
上述した各実施形態では、デジタルＴＶ１（３）とＨＤＤ記録装置２（４）とを有する録画システム１００（１０１）について説明したが、本発明は、例えば、第１実施形態のＨＤＤ記録装置２のみをセットトップボックスのように利用し、既存のデジタルテレビに接続して記録および再生を行う構成とすることも可能である。なお、第２実施形態のＨＤＤ記録装置４をセットトップボックスのように利用しようとする場合には、デジタルテレビから鍵データ及びデスクランブルされたトランスポートストリーム信号を受け取るための専用線及びコネクタ（暗号化されている必要があるため）が必要になるが、この専用線及びコネクタがデジタルテレビ側に設置されているならば、第２実施形態のＨＤＤ記録装置４をセットトップボックスのように利用することもできる。
また、上述した各実施形態の各構成は、ハードウェアとして構成してもよいし、ソフトウェア上のプログラムとして構成してもよい。
【００４４】
上述した実施形態では、デジタルチューナ１１,３１，４１はトランスポートストリーム信号を出力しているとしたが、本発明はこれには限定されない。すなわち、例えばＭＰＥＧ−２  ＰＳ（プログラムストリーム）等、他の形式の信号でも良い。
また、上述した実施形態では、ＨＤＤに録画する録画システムについて説明したが、ＨＤＤ以外の記録媒体、すなわちフラッシュメモリ等に録画する録画システムについても本発明は適用可能である。
【図面の簡単な説明】
【００４５】
【図１】図１は、第１実施形態の録画システム１００の構成を示すブロック図である。
【図２】図２は、第２実施形態の録画システム１０１の構成を示すブロック図である。
【符号の説明】
【００４６】
１００…録画システム、１…デジタルＴＶ、１１…デジタルチューナ、１２…信号処理部、１２１…デマルチプレクサ、１２２…デコーダ、１３…表示部、１４…入力Ｉ／Ｆ、１５…出力Ｉ／Ｆ、２…ＨＤＤ記録装置、２１…信号処理部、２１１…デマルチプレクサ、２１２…デコーダ、２２…ＨＤＤ、２３…入力Ｉ／Ｆ、２４…出力Ｉ／Ｆ、１０１…録画システム、３…デジタルＴＶ、３１…デジタルチューナ、３２…カードＩ／Ｆ、３３…信号処理部、３３１…デスクランブラ、３３２…デマルチプレクサ、３３３…デコーダ、３４…表示部、３５…入力Ｉ／Ｆ、３６…出力Ｉ／Ｆ、４…ＨＤＤ記録装置、４１…デジタルチューナ、４２…信号処理部、４２１…デスクランブラ、４２２…デマルチプレクサ、４２３…デマルチプレクサ、４２４…デコーダ、４３…ＨＤＤ、４４…入力Ｉ／Ｆ、４５…出力Ｉ／Ｆ
【図１】
2008177803.tif 000003
【図２】
2008177803.tif 000004